(57)【要約】【課題】  天井に膜天井シートを敷設する際の作業性を向上させるとともに、アスベストの飛散を確実に防止して、天井の封じ込めとしての信頼性を向上させ、さらには、既設の電気器具の交換も容易にする。【解決手段】  既設電気器具４５を覆うフィルムシート５の上から袋状フィルム４１を被せ、袋状フィルム内でフィルムシートの一部を切り抜き既設電気器具を取り外した後、天井裏配線の引き出し端部を囲むように枠部材４３を天井２に固定し、取り外した後の既設電気器具を収容した状態として袋状フィルムを切り離し、その後、フィルムシートの固着部よりも下方位置の壁面に固定した膜天井廻り縁に係止させながら膜天井シートを天井に沿って敷設し、膜天井シートを介して枠部材に引掛けローゼットを固定し、膜天井シートを貫通させた天井裏配線の引き出し端部を引掛けローゼットに接続する。【選択図】図８
2008013965.tif 000002
【特許請求の範囲】
【請求項１】
天井周囲の壁面にフィルムシートを固着しながら該フィルムシートによって天井表面を既設電気器具も含めて覆った状態とし、該フィルムシートにより覆われた状態の既設電気器具に対して前記フィルムシートの上から袋状フィルムを被せるようにしてフィルムシートに袋状フィルムの開口部を固着するとともに、その袋状フィルムの中に枠部材及び工具を入れておき、袋状フィルムの一部を介して外部から工具を操作しながら袋状フィルム内でフィルムシートの一部を切り抜き既設電気器具を取り外して天井裏配線を引き出した後、該天井裏配線の引き出し端部を囲むように前記枠部材を天井に固定し、取り外した後の前記既設電気器具を袋状フィルムの下部に収容した状態として上部を窄めて結束し、その結束部分から袋状フィルムを切り離し、その後、フィルムシートの固着部よりも下方位置の壁面に膜天井廻り縁を固定し、この膜天井廻り縁に周縁を係止させながら膜天井シートを天井に沿って敷設し、該膜天井シートを介して前記枠部材に引掛けローゼットを固定し、前記膜天井シートを貫通させた前記天井裏配線の引き出し端部を前記引掛けローゼットに接続することを特徴とする天井改修方法。
【請求項２】
天井表面を覆うフィルムシートの周縁部が天井周囲の壁面に固着されるとともに、その固着部よりも下方位置の壁面に膜天井廻り縁が固定され、この膜天井廻り縁に周縁を係止させて膜天井シートが前記天井に沿って敷設され、膜天井シートと天井との間に枠部材が固定され、該枠部材に膜天井シートを介して引掛けローゼットが固定され、枠部材の内側で切り取られた前記膜天井シート及び前記フィルムシートの穴を介して引掛けローゼットと天井裏配線とが接続されていることを特徴とする膜天井構造。
【発明の詳細な説明】
【技術分野】
【０００１】
本発明は、膜天井シートを用いて建築物における天井を改修する方法および膜天井構造に関する。
【背景技術】
【０００２】
従来、住宅などの天井や壁の建築資材には、保温性、耐火性の効果が高いといった理由からアスベスト（石綿）が多く使用されていた。しかしながら、周知のとおり、アスベストは、非常に微細な繊維形状をなしており、とくにアスベストが室内空間に露出している部分が剥がれ落ちると空気中にアスベストが飛散し、それを人が吸引したときに人体に与える影響が大きく社会的問題となっている。このような背景から、近年では、アスベストが使用されている建築物の改装（リフォーム）が行われている。
【０００３】
その改装方法として、アスベスト部分を除去する方法が一般的に多く実施されている。
この方法の場合、解体作業が発生するため、住人の引越しが必要になるうえ、解体範囲をフィルム材等で密封状態に取り囲み、さらにその中で解体作業を行う作業員は防塵マスク等を使用した大掛かりな装備が必要であった。
これに対し、アスベストを除去せずに残置した状態で改装する方法として、アスベストを囲い込む方法や封じ込める方法がある（例えば、特許文献１、２参照）。
【０００４】
特許文献１は、吹き付けによってアスベスト層に飛散防止処理剤をコーティング処理し、アスベスト層の所定箇所にボルトを貫通させて基盤に固定させたアスベスト層の封じ込め方法である。
特許文献２は、既存の天井面に沿って新たに膜天井シートを敷設する方法である。膜天井シートは、天井面の周囲に沿って配置されている既設の木廻り縁に垂直材および水平材からなる断面略Ｌ字形の膜天井廻り縁をステープルで固定し、膜天井シートの周縁に設けられた断面Ｕ字形の係止部材を膜天井廻り縁の水平材の先端に形成された断面鉤形の係止部に引っ掛けることで既存の天井面に沿って敷設される。
【特許文献１】特許第２６１２９０８号公報
【特許文献２】特開２００４−１９７４４８号公報
【発明の開示】
【発明が解決しようとする課題】
【０００５】
しかしながら、特許文献１は、コーティング処理した吹き付け面が室内空間に面しており、この吹き付け面が劣化により亀裂が入ったり剥がれ落ちるなどすると、コーティング処理した裏面のアスベスト層が露出してアスベスト片が室内空間に飛散するという問題があった。
特許文献２は、天井を膜天井シートで覆ってしまうので、膜天井シートを敷設した後は、アスベスト層が露出せず封じ込むことができるが、この膜天井シートを敷設する際には、アスベストが露出している状態であるから、不用意にアスベスト面に触れてしまうおそれがあり、作業環境の改善が求められていた。
また、天井に設置されている照明器具等の電気器具を同時に交換する場合、膜天井シートの敷設前に交換作業をするのではアスベスト片の飛散の問題があり、一方、膜天井シートを敷設した後であると電気器具が膜天井シートに覆われてしまい、その作業が難しくなる。
【０００６】
本発明は、上述する問題点に鑑みてなされたもので、天井に膜天井シートを敷設する際の作業性を向上させるとともに、アスベスト等の飛散を確実に防止して、天井の封じ込めとしての信頼性を向上させ、さらには、既設の電気器具の交換も容易にした天井改修方法および膜天井構造を提供することを目的とする。
【課題を解決するための手段】
【０００７】
上記目的を達成するため、本発明に係る膜天井シートを用いた天井改修方法は、天井周囲の壁面にフィルムシートを固着しながら該フィルムシートによって天井表面を既設電気器具も含めて覆った状態とし、該フィルムシートにより覆われた状態の既設電気器具に対して前記フィルムシートの上から袋状フィルムを被せるようにしてフィルムシートに袋状フィルムの開口部を固着するとともに、その袋状フィルムの中に枠部材及び工具を入れておき、袋状フィルムの一部を介して外部から工具を操作しながら袋状フィルム内でフィルムシートの一部を切り抜き既設電気器具を取り外して天井裏配線を引き出した後、該天井裏配線の引き出し端部を囲むように前記枠部材を天井に固定し、取り外した後の前記既設電気器具を袋状フィルムの下部に収容した状態として上部を窄めて結束し、その結束部分から袋状フィルムを切り離し、その後、フィルムシートの固着部よりも下方位置の壁面に膜天井廻り縁を固定し、この膜天井廻り縁に周縁を係止させながら膜天井シートを天井に沿って敷設し、該膜天井シートを介して前記枠部材に引掛けローゼットを固定し、前記膜天井シートを貫通させた前記天井裏配線の引き出し端部を前記引掛けローゼットに接続することを特徴とする。
【０００８】
本発明では、膜天井シートを敷設する前に、フィルムシートによって天井を覆った状態にしておくことにより、膜天井シートの敷設作業時にはアスベスト等を含んだ天井に触れることなく作業することができ、一方、フィルムシートは薄膜で取扱い容易なものを使用することができるから、その敷設作業を容易にして、一連の作業性が向上する。
【０００９】
この場合、天井に設置されている既設電気器具に対して、その撤去作業並びに枠部材による下地作業を袋状フィルムによって囲った状態で行うことができるとともに、取り外した既設電気器具を袋状フィルム内に収納したまま撤去することができる。
そして、枠部材を介することによって新規の引掛けローゼットを膜天井シートの下面に設置することができ、既設電気器具に対する一連の交換作業を容易にすることができる。
【００１０】
本発明の膜天井構造は、天井表面を覆うフィルムシートの周縁部が天井周囲の壁面に固着されるとともに、その固着部よりも下方位置の壁面に膜天井廻り縁が固定され、この膜天井廻り縁に周縁を係止させて膜天井シートが前記天井に沿って敷設され、膜天井シートと天井との間に枠部材が固定され、該枠部材に膜天井シートを介して引掛けローゼットが固定され、枠部材の内側で切り取られた前記膜天井シート及び前記フィルムシートの穴を介して引掛けローゼットと天井裏配線とが接続されていることを特徴とする。
この膜天井構造によれば、天井がフィルムシートで覆われた上に膜天井シートによって二重に覆われるから、例えばアスベストが天井に使用される場合においてアスベスト片が飛散することを防止できる。また、膜天井シートの下面に引掛けローゼットが固定されているから、天井面を覆った状態で照明器具等を取り付けることが可能になる。
【発明の効果】
【００１１】
本発明の膜天井シートを用いた天井改修方法および膜天井構造によれば、天井表面をフィルムシートにより覆った状態であるので、例えばアスベストが天井に使用される場合においてアスベスト片が飛散することを防止できる。このため、アスベストの封じ込め（囲い込み）における信頼性を向上させることができる。
また、フィルムシートによって予め天井表面を覆った状態として膜天井シートを敷設するから、膜天井シートの施工中にアスベストを含んだ天井に触れることなく施工でき、安全性を向上させることができる。このため、施工中における住人の引越しも不要となる。この場合、フィルムシートはさらに膜天井シートによって覆われるから、フィルムシート自体は薄膜によって構成することができ、その取扱いを容易にして、全体の施工性を向上させることができる。
そして、天井の既設電気器具の交換も袋状フィルムによって容易にかつアスベスト片の飛散を防止した状態で行うことができ、膜天井シートの下面に設けた新規の引掛けローゼットにより照明器具等を取り付け得て、天井としての機能を損なうことがない。
【発明を実施するための最良の形態】
【００１２】
以下、本発明の膜天井シートを用いた天井改修方法および膜天井構造の実施の形態について、図面に基づいて説明する。
図１は本実施の形態による膜天井の設置状態を示す図であり、この図１に示すように、この膜天井１は、住宅などの建築物の室内においてアスベストが使用された天井２を改装（リフォーム）する際に、天井２に沿うようにして敷設したものである。室内の四方の各壁面３の上端部には、天井２の周縁部全周にわたって既設の木廻り縁４が取り付けられており、膜天井１は、この木廻り縁４を利用して固定されている。
ここで、アスベストが使用された天井２は、例えば従来多く使用されていたアスベストを含んだ天井材料や吹付け材仕上げの材料による天井を対象とする。
【００１３】
この膜天井１は、天井２の表面を覆うフィルムシート５と、このフィルムシート５よりも下方位置に敷設された膜天井シート６との二重構造とされている。
フィルムシート５は、例えばポリエチレン等の透明な軟質樹脂を薄膜に形成してなるものであり、天井２の表面に密接させられ、その全面を覆った状態として、その四辺が木廻り縁４の高さ方向の上部位置に天井３の周縁に沿って接着材としての両面テープ７によって固定されている。この両面テープ７は、例えば弾性樹脂（ブチルゴムを含む）の両面に接着剤（粘着剤）を塗付加工してなるものであり、接着面は剥離紙によって覆われている。
【００１４】
膜天井シート６は、木廻り縁４の高さ方向の下部に重ねるように固定された膜天井廻り縁１１によって固定されている。この膜天井廻り縁１１は、垂直材１１Ａおよび水平材１１Ｂを一体に成形してなる断面略Ｌ字形をなしており、その垂直材１１Ａの背面が木廻り縁４にシーリング材１２を介して固定されている。
このシーリング材１２としては、例えば弾性樹脂（ブチルゴムを含む）の両面に接着剤（粘着剤）を塗付加工してなる両面テープなどを使用することが好ましい。そして、この膜天井廻り縁１１の垂直材１１Ａは、この垂直材１１Ａからシーリング材１２、木廻り縁４を貫通させてビス１３及びステープル１４が壁面３に打ち込まれて固定されている。
また、膜天井廻り縁１１の水平材１１Ｂの先端部には、上方に延びさらに垂直材１１Ａに向けて折り返すように屈曲した断面略鉤形の係止部１５が長さ方向に沿って形成されており、この係止部１５によって長さ方向に沿う溝部１６が形成される。
【００１５】
膜天井シート６は、例えば塩化ビニル樹脂製の材質（例えば、リフォジュールシート（登録商標）、フクビ化学工業株式会社製）で弾力性を有するシート材１７が使用され、その周縁に断面略Ｕ字形の係止部材１８が全周に連続して設けられている。この係止部材１８は、図２に示すように、そのＵ字形の両側壁部１８Ａ・１８Ｂの間に溝部１９が形成され、一方の側壁部１８Ａにシート材１７が固着された構成とされている。そして、他方の側壁部１８Ｂを膜天井廻り縁１１の溝部１６に入れるようにして、この係止部材１８の溝部１９を膜天井廻り縁１１の係止部１５に引っ掛けることによって、膜天井シート６は天井２に沿って敷設されている。
なお、膜天井シート６の表面は、室内天井として好みのデザインのシートを使用することができる。
【００１６】
また、天井２の四隅には、図３及び図4に示すように、互いに略直角に接合される二辺をなす膜天井廻り縁１１、１１に、一端２１ａを一方の膜天井廻り縁１１にビス２２で固定させ、他端２１ｂを他方の膜天井廻り縁１１にビス２２で固定させた補強斜材２１が斜めに設けられており、膜天井シート６は、この補強部材２１の下方に敷設されている。この補強斜材２１は、敷設時に張力が付与されることにより常に収縮しようとする膜天井シート６によって、木廻り縁４および膜天井廻り縁５が引っ張られて木廻り縁４が壁面３から外れたり、膜天井廻り縁５を固定するビス１３やステープル１４が木廻り縁４から抜けたりすることを防ぐものである。
【００１７】
ところで、天井２に照明器具等の電気器具が設置されている場合、これを新規のものに交換して膜天井シート６の下面に付け替える必要がある。
以下では、上記のような構成をなす膜天井１の施工方法について、既設の電気器具を交換しながら実施する場合も含めて説明する。
先ず、両面テープ７をその一方の接着面に剥離紙を付着したまま既存の木廻り縁４の上部に貼り付けておく。
【００１８】
一方、フィルムシート５はロール状にしておき、図５に示すように、そのロール３１を回転自在に支持するロール台３２Ａ・３２Ｂを用意する。このロール台３２Ａ・３２Ｂは、ロール３１の両端部を支持するもので、ロール３１を床面３３から少し浮かせた状態に支持する。また、フィルムシート５は、例えば０．０３ｍｍ厚さで幅が３６００ｍｍのものを二つ折り（１８００ｍｍ幅）にして長さ１００ｍ分、ロール３１に巻き取られている。
このロール台３２Ａ・３２Ｂを床面３３上に置いておき、ロール３１からフィルムシート５を引き出しながら使用する。改修しようとする天井２の寸法よりも５０００ｍｍ程度長めに引き出す。これは、天井高さは概ね２５００ｍｍであることから、天井２から壁面３にフィルムシート５を垂らして養生として利用するためである。他の辺についてはフィルムシート５に養生シート（図示略）を継ぎ足せばよい。
【００１９】
引き出したフィルムシート５は二つ折になっており、これを広げた状態として、天井２の一辺の片側から木廻り縁４に貼り付けておいた両面テープ７の剥離紙を剥がしながらフィルムシート５に若干の張力をかけて貼り付けていく。この貼り付け作業において、作業員は図６に示すように垂れ下がるフィルムシート５の下に矢印で示すように潜り込むようにして作業することになる。
【００２０】
一辺の貼り付けが終わったら、天井２の反対側の辺について、その中央部から左右に向けてフィルムシート５を貼り付けていく。このときフィルムシート５を天井２に密接させるように張力をかける。残りの二辺は片側から貼り付ける。このようにして天井２の周囲の両面テープ７にフィルムシート５を貼り付けると、図７に示すように、天井２の表面がフィルムシート５により覆われ、余ったフィルムシート５が壁面３に垂れ下がった状態となっている。
【００２１】
天井２に設置されている照明器具等の電気器具を交換して膜天井シート６の下面に付け替える場合については、図７に示すようにフィルムシート５で天井２を覆った後、次のような手順で行われる。
まず、図８に示すようにフィルムシート５の材料から作った袋状フィルム４１をフィルムシート５の下面に貼り付ける。この袋状フィルム４１は、内部にグローブ４１ａが一体に形成され、外側からグローブ４１ａに手を差し込んで袋状フィルム４１内の作業を行うことができるようになっている。この袋状フィルム４１の中にドライバーやカッター等の必要な工具４２及び枠部材４３、固定用のビス４４を入れた状態として、既設電気器具（図8の場合引掛けローゼット）４５を囲む大きさのリング枠４６に通すとともに、このリング枠４６上に配置される袋状フィルム４１の開口部付近に両面テープ４７を固着しておく。そして、図８の矢印で示すように、リング枠４６毎、袋状フィルム４１を既設電気器具４５に被せて天井２に敷設されているフィルムシート５に固着する。
【００２２】
この貼り付け状態でリング枠４６を下方に抜き取ると、図９に示すように天井２のフィルムシート５に袋状フィルム４１がぶら下がった状態となる。この状態でグローブ４１ａに手を差し込んで、既設電気器具４５回りにフィルムシート５を切り取ることにより、フィルムシート５に穴を開けて既設電気器具４５を袋状フィルム４１内で露出させ、工具４２を操作して既設電気器具４５を天井２から外すとともに、外した後の天井２に枠部材４３を固定する。
この枠部材４３は、筒状枠４８の内周部にビス固定用の複数の突出片４９、５０が一体に設けられた構成とされている。これら突出片４９、５０は、筒状枠４８の両端部付近に分かれて配設されており、その一端部付近の突出片４９が天井２への固定用であり、他端部付近の突出片５０は後述の新規電気器具を固定するためのものである。なお、既設電気器具４５が取り付けられていた天井２には埋め込みボックス５１が設けられており、該埋め込みボックス５１にビス固定部５２が形成されている。
そして、図１０に示すように、枠部材４３の突出片４９にビス４４を挿通して埋め込みボックス５１のビス固定部５２に固定することにより、枠部材４３を天井２に固定する。この状態では、既設電気器具４５に接続されていた天井裏配線（図示略）が枠部材４３内に臨ませられた状態となる。
【００２３】
次いで、天井２近くの部分で袋状フィルム４１を窄めてテープ等で結んだ後、その結束部分５３を図１１の矢印で示すように切断すると、天井２に固定状態の枠部材４３が図１２に示すように袋状フィルム４１の上半分４１ｂによって塞がれた状態となり、袋状フィルム４１の下半分４１ｃには天井２から撤去した電気器具４５と工具４２が収納された状態となり、これらを袋状フィルム４１に収納したまま廃棄することが可能になる。
【００２４】
このようにしてフィルムシート５によって天井２表面を覆った状態とした後、図７に鎖線で示すように、木廻り縁４の上に垂れ下がっているフィルムシート５の上からシーリング材１２を介して膜天井廻り縁１１を重ね合わせ、水平方向に所定間隔（例えば１２０ｍｍピッチ）ごとにビス１３やステープル１４を膜天井廻り縁１１の上から打ち込ませて木廻り縁４に膜天井廻り縁１１を固定する。
また、天井２の四隅では、膜天井廻り縁１１の上から図３及び図4に示す補強部材２１を接合する。
【００２５】
次いで、図２に示すように、膜天井シート５の周縁に設けた係止部材１８を膜天井廻り縁１１の係止部１５に係止させる。このとき、例えばコテ状の治具（図示省略）を使用して膜天井シート５の係止部材１８の溝部１９に膜天井廻り縁１１の係止部１５を挿し込むようにはめ込むながら係止させる。これにより、膜天井廻り縁１１の内側に膜天井シート６が敷設される。
【００２６】
なお、通常の膜天井シート６は、天井２への敷設面積に対して略８割の面積比率に加工されたものを、設置する際に引き伸ばすようにテンションをかけながら膜天井廻り縁１１に固定されるのであるが、この膜天井シート６を敷設する際には、床面に温風器（図示略）を設置して天井２に向けて温風を吹き付けておき、その温風によって膜天井シート６を加温して、伸び易いようにすることが行われる。
また、膜天井回り縁１１から垂れ下がっている部分のフィルムシート５は、最後に膜天井シート５を敷設した後、膜天井回り縁１１の下縁に沿って切断する。
このようにして膜天井シート６を敷設すると、膜天井シート６と天井２との間には、室内空間Ｒと遮断された密封空間Ｔが形成されて天井２が囲い込まれた状態となる。しかも、天井２の表面はフィルムシート５が密接に覆った状態とされている。
【００２７】
次いで、前記枠部材４３を設置した箇所においては、枠部材４３の内側で膜天井シート６及び残っている袋状フィルムの上半分４１ｂを切り取って穴６１を開け、その穴６１の内周縁に沿わせて膜天井シート６と枠部材４３の筒状枠４８との間に補強リング６２を介在させ、膜天井シート６の裏面に接着する。
そして、新規の引掛けローゼット６３の取付金具６４をビス６５によって枠部材４３の突出片５０に固定するとともに、天井裏配線（図示略）を引掛けローゼット６３に接続すると、図１３に示す状態となる。
【００２８】
一方、図１４及び図１５は、既設電気器具が照明器具である例を示している。この場合も、天井２にフィルムシート５を敷設した後、図８に示した場合と同様に袋状シート４１によって覆って図１４に示す状態とし、この状態で既設電気器具７１を外して枠部材４３を天井２に取り付け、図１５に示す状態とする。そして、図１１から図１３で示した例と同様にして、袋状シート４１に入れたまま既設電気器具７１を撤去し、膜天井シート６を敷設した後、枠部材４３に新規の引掛けローゼット６３が取り付けられる。
【００２９】
上述した本実施の形態による膜天井シートを用いた天井改修方法および膜天井構造は、フィルムシート５を天井２に（隙間無く）密着させることで、天井２の全面を封じ込めることができる。そして、膜天井シート６を施工する際に天井２に直接触れることなく施工できることから、安全性を向上させることができ、アスベストの封じ込め（囲い込み）における信頼性を向上させることができる。
この場合、天井２に設置されている既設電気器具４５、７１に対して、その撤去作業並びに枠部材４３による下地作業を袋状フィルム４１によって囲った状態で行っているとともに、取り外した既設電気器具４５、７１を袋状フィルム４１内に収納したまま撤去することができ、アスベスト片の飛散を確実に防止することができる。
そして、枠部材４３を介することによって新規の引掛けローゼット６３を膜天井シート６の下面に設置することができ、天井としての機能を損なうことがない。
【００３０】
以上、本発明による膜天井シートを用いた天井改修方法および膜天井構造の実施の形態について説明したが、本発明は上記の実施の形態に限定されるものではなく、その趣旨を逸脱しない範囲で適宜変更可能である。
また、本実施の形態ではアスベストが使用された天井２を対象としているが、アスベストを含まない吹き付け天井やコンクリートが露出した天井などで剥がれ落ちを防止するための改装に適用してもかまわない。
【００３１】
また、フィルムシート５を敷設する前に、天井２の表面に接着剤を吹き付けて、フィルムシート５を天井２に密着させるようにしてもよい。逆にフィルムシート５に接着剤を塗布しておいてもよい。
また、フィルムシート５は透明なもので目視点検を可能としたものであるが、とくに点検などの必要がない場合などでは透明性を有するシートであることに限定はされない。
【００３２】
さらに、本実施の形態では膜天井廻り縁１１をビス１３やステープル１４によって木廻り縁４に取り付けたものであるが、膜天井廻り縁１１の固定方法はこれに限定されることはなく、テンションをかけて敷設した膜天井シートの引張力によって木廻り縁４や膜天井廻り縁１１が外れないようにしておけばよいのであって、例えば各壁面３同士の膜天井廻り縁１１に突っ張り用の補強材を設けておくようにしてもよい。
木廻り縁４が設けられていない場合に適用することもでき、その場合は膜天井廻り縁１１を壁面３に直接固定すればよい。
さらにまた、膜天井廻り縁１１の係止部１５と膜天井シート６の係止部材１８との係止構造も、両者が係止状態となる他の構造を採用してもよい。
【図面の簡単な説明】
【００３３】
【図１】本発明の実施の形態による膜天井の設置状態を示す縦断面図である。
【図２】図１における膜天井回り縁部分の膜天井シートの取付け構造を示す拡大拡大図である。
【図３】膜天井回り縁の四隅に設けられる補強部材の取り付け構造を示す平面図である。
【図４】図３のＸ−Ｘ線に沿う矢視図である。
【図５】フィルムシートのロールを支持している状態を示す正面図である。
【図６】天井にフィルムシートを敷設し始めた状態を示す縦断面図である。
【図７】天井にフィルムシートを敷設した状態を示す縦断面図である。
【図８】天井の既設電気器具を交換するために袋状フィルムを取り付ける状態を示している縦断面図である。
【図９】図８に示す状態から袋状フィルムを天井のフィルムシートに取り付けた状態を示す縦断面図である。
【図１０】図９に示す状態から既設電気器具を取り外し、代わりに枠部材を天井に取り付けた状態を示す縦断面図である。
【図１１】図１０に示す状態から袋状フィルムの途中位置を絞って既設電気器具を袋状フィルムの下半分に閉じ込めた状態を示す縦断面図である。
【図１２】図１１に示す状態から袋状フィルムの下半分を切り取った状態を示す縦断面図である。
【図１３】図１２に示す状態から膜天井シートを敷設して枠部材に引掛けローゼットを固定した状態を示す縦断面図である。
【図１４】既設電気器具が照明器具である場合の図９同様の縦断面図である。
【図１５】図１４に示す状態から既設電気器具を取り外し、代わりに枠部材を天井に取り付けた状態を示す縦断面図である。
【符号の説明】
【００３４】
１…膜天井  ２…天井  ３…壁面  ４…木廻り縁  ５…フィルムシート  ６…膜天井シート  ７…両面テープ（接着材）  １１…膜天井廻り縁  １２…シーリング材  １３…ビス    １４…ステープル  １５…係止部  １６…溝部  １７…シート材  １８…係止部材  １９…溝部  ２１…補強部材  ４１…袋状フィルム  ４１ａ…グローブ  ４２…工具  ４３…枠部材  ４５…既設電気器具  ４６…リング枠  ４７…両面テープ  ４８…筒状枠  ４９，５０…突出片  ５１…埋め込みボックス  ５２…ビス固定部  ６１…穴  ６２…補強リング  ６３…引掛けローゼット  ７１…既設電気器具  Ｒ…室内空間  Ｔ…密封空間
【図１】
2008013965.tif 000003
【図２】
2008013965.tif 000004
【図３】
2008013965.tif 000005
【図４】
2008013965.tif 000006
【図５】
2008013965.tif 000007
【図６】
2008013965.tif 000008
【図７】
2008013965.tif 000009
【図８】
2008013965.tif 000010
【図９】
2008013965.tif 000011
【図１０】
2008013965.tif 000012
【図１１】
2008013965.tif 000013
【図１２】
2008013965.tif 000014
【図１３】
2008013965.tif 000015
【図１４】
2008013965.tif 000016
【図１５】
2008013965.tif 000017